(57)【特許請求の範囲】
【請求項１】
吸込室が設けられ且つ前記吸込室の吸込開口が下面に形成された吸込口本体と、前記吸込室を形成する前側壁に設けられ且つ前記前側壁の側壁内面にエア流出端を開口させたエア吸込口と、左右に延びる回転軸を中心に回転自在に前記吸込室内に保持され且つ前記回転軸に半径方向に突出する塵埃掻き上げ部材が設けられた回転清掃体を備える吸込口体において、
前記前側壁には、前記エア流出端に対して前記回転清掃体の回転方向先行側に延設させられていると共に前記側壁内面から前側に離反させられた面が形成されていることを特徴とする吸込口体。
【請求項２】
請求項１に記載の吸込口体において、前記エア吸込口に対して前記回転清掃体の回転方向後方側に位置する壁面に形成され、且つ、先端を前記回転清掃体の回転方向先行側に向けて前記エア吸込口内に突出させた突部が前記側壁に形成されていることを特徴とする吸込口体。
【請求項３】
請求項１又は２に記載の吸込口体を有することを特徴とする電気掃除機。
【発明の詳細な説明】
【０００１】
【発明の属する技術分野】
この発明は、回転清掃体が配設された吸込室の前側壁又は後側壁にエア吸込口が形成された吸込口体およびこれを有する電気掃除機に関するものである。
【０００２】
【従来の技術】
一般に、家庭用の電気掃除機としては、例えば図１７に示したようなものがある。この図１７において、１は電気掃除機の掃除機本体、２は掃除機本体１内の集塵室、３は集塵室２内に配設された紙パックフィルタ等の集塵袋、４は集塵室２内に吸込負圧（吸気負圧）を作用させる電動送風機である。また、５は一端部が掃除機本体１に接続されていると共に集塵袋３を介して集塵室２に連通する集塵ホース、６は一端部が集塵ホース５の自由端部に取り付けられた手元操作パイプ、６ａは手元操作パイプ６の握り部である。この手元操作パイプ６の他端部には、延長管７，８を介して吸込口体９が接続されている。
【０００３】
この吸込口体９としては、例えば図１７〜１９に示したように、吸込口本体１０内に吸込室１１が設けられ、吸込室１１の吸込開口（下側塵埃吸込口）１１ａが吸込口本体１０の下面に形成され、並設した回転清掃体１２，１３が吸込室１１内に回転自在に配設されていると共に、吸込室１１の前側壁１４に前側塵埃吸込口１５を複数設けたものが考えられている。１２ａ，１３ａは回転清掃体１２，１３の塵埃掻き上げ用のブレードである。また、吸込室１１の上壁に設けた吸込通路１６は、延長管８に連通させられている。
【０００４】
この様な吸込口体９では、回転清掃体１２，１３を図示しない駆動モータ等の駆動手段で矢印１２ｂ，１３ｂで示したように回転させて、ブレード１２ａ，１３ａが回転清掃体１２，１３の対向側において下から上方に移動する様にすることにより、吸込口体９を前後（図１８中左右）に移動しても、清掃面の塵埃を中央から上方に掻き上げる様にしたものが考えられている。
【０００５】
従って、電動送風機４を作動させて集塵室２に吸込負圧を作用させると、この吸込負圧が集塵袋３，集塵ホース５，手元操作パイプ６，延長管７，８及び吸込通路１６を介して吸込口体９の吸込室１１に作用する。一方、図示しない駆動手段により回転清掃体１２，１３を矢印１２ｂ，１３ｂで示したように回転させて、ブレード１２ａ，１３ａが回転清掃体１２，１３の対向側において下から上方に移動する様にする。
【０００６】
この状態で、手元操作パイプ６の握り部６ａを保持し、吸込口体９を図１７の矢印１７で示したように前後に移動操作（図１８中左右に移動操作）することにより、清掃面の塵埃が吸込開口１１ａの前後方向の中央から回転清掃体１２，１３のブレード１２ａ，１３ａで上方に掻き上げられる。そして、この掻き上げられる塵埃は、吸込開口１１ａから吸い込まれるエアと共に吸込室１１に作用する吸込負圧で、吸込通路１６，延長管７，８，手元操作パイプ６及び集塵ホース５を介して集塵袋３内に吸い込まれる。そして、エアに含まれる塵埃が集塵袋３に捕集されることになる。尚、前側塵埃吸込口１５からもエアは吸い込まれる。
【０００７】
ところで、例えば室内の仕切壁と床との角部を清掃する場合に、吸込口体９の前側を仕切壁に押し付けるようにすることで、この角部と吸込口体９との間の空間に前側塵埃吸込口１５からの吸込負圧を作用させることで、この角部に溜まっている塵埃を前側塵埃吸込口１５から吸い込むようにしている。
【０００８】
【発明が解決しようとする課題】
しかしながら、上述した清掃に際して、吸込開口１１ａの前後方向の中央から回転清掃体１２，１３のブレード１２ａ，１３ａで上方に掻き上げられた塵埃のうち、比較的大きく吸込通路１６に吸い込まれず、図１９に示したようにブレード１２ａで前側壁１４側に強制的に移動させられるゴミ１８がある場合、このゴミ１８は矢印１９で示したように前側塵埃吸込口１５内に入って、前側塵埃吸込口１５から吸込口体９の前側に飛び出してしまうことがあり、好ましくない。
【０００９】
そこで、この発明は、この様に回転清掃体の塵埃掻き上げ部材で吸込口体の前側或いは後側の吸込口側に強制的に移動させられる前側或いは後側の吸込口から吸込口体の外側に飛び出すのを防止できる吸込口体及びこれを有する電気掃除機を提供することを目的とするものである。
【００１０】
【課題を解決するための手段】
この目的を達成するため、請求項１の発明は、吸込室が設けられ且つ前記吸込室の吸込開口が下面に形成された吸込口本体と、前記吸込室を形成する前側壁に設けられ且つ前記前側壁の側壁内面にエア流出端を開口させたエア吸込口と、左右に延びる回転軸を中心に回転自在に前記吸込室内に保持され且つ前記回転軸に半径方向に突出する塵埃掻き上げ部材が設けられた回転清掃体を備える吸込口体において、前記前側壁には、前記エア流出端に対して前記回転清掃体の回転方向先行側に延設させられていると共に前記側壁内面から前側に離反させられた面が形成されている吸込口体としたことを特徴とする。
【００１１】
また、請求項２の発明は、請求項１に記載の吸込口体において、前記エア吸込口に対して前記回転清掃体の回転方向後方側に位置する壁面に形成され、且つ、先端を前記回転清掃体の回転方向先行側に向けて前記エア吸込口内に突出させた突部が前記側壁に形成されていることを特徴とする。
【００１２】
更に、請求項３の発明は、請求項１又は２に記載の吸込口体を有する電気掃除機としたことを特徴とする。
【００１３】
【発明の実施の形態】
次に、この発明の実施の形態を図面に基づいて説明する。
【００１４】
図１において、１は電気掃除機の掃除機本体、２は掃除機本体１内の集塵室、３は集塵室２内に配設された紙パックフィルタ等の集塵袋、４は集塵室２内に吸込負圧（吸気負圧）を作用させる電動送風機である。また、５は一端部が掃除機本体１に接続されていると共に集塵袋３を介して集塵室２に連通する集塵ホース、６は一端部が集塵ホース５の自由端部に取り付けられた手元操作パイプ、６ａは手元操作パイプ６の握り部である。この手元操作パイプ６の他端部には、延長管７，８を介して図２〜図４に示した吸込口体２０が接続されている。
【００１５】
この吸込口体２０は、左右に細長く延びる吸込口本体２１と、この吸込口本体２１に取り付けられた接続パイプ２２を有する。この吸込口本体２１は、図１，図３に示したように、上ケース２３と下ケース２４を有する。
【００１６】
下ケース２４には、図６，図７に示したように、左右に延びる吸込室２５が形成されている。また、この下ケース２４には、吸込室２５の上部を閉成する上壁２６と、左右に延びる前側壁２７及び後側壁２８を有する。２７ａは前側壁２７の吸込室２５側の側壁外面、２７ｂは前側壁２７の側壁内面である。
【００１７】
そして、吸込室２５の上壁２６には、接続パイプ２２に連通する吸込通路２６ａが形成されている。また、下ケース２４には、吸込室２５を下面（底面）に開口させる吸込開口（下側塵埃吸込口）２５ａが形成されている。また、吸込室２５内には、前後に並設された回転清掃体２９，３０が配設されている。
【００１８】
この回転清掃体２９は、左右に延びる回転軸２９ａと、回転軸２９ａに半径方向に向けて突設され且つ回転軸２９ａの両端部まで延設されたブレード（塵埃掻き上げ部材）２９ｂ，２９ｃを有する。また、回転清掃体３０は、左右に延びる回転軸３０ａと、回転軸３０ａに半径方向に向けて突設され且つ回転軸３０ａの両端部まで延設されたブレード（塵埃掻き上げ部材）３０ｂ，３０ｃを有する。
【００１９】
この回転清掃体２９，３０の回転軸２９ａ，３０ａは両端部が吸込口本体２１に回転自在に保持されている。また、回転軸２９ａ，３０ａは、図２，図４に示した回転軸駆動手段３１により回転駆動される様になっている。この駆動手段３１は、下ケース２４の上に取り付けられた駆動手段としての駆動モータ（駆動装置）３１と、駆動モータ３１の出力軸３１ａの回転を回転軸２９ａ，３０ａの一端部に伝達する回転伝達機構３２を有する。この回転伝達機構３２には、歯車回転伝達機構（ギヤ回転伝達機構）が用いられている。この歯車回転伝達機構は、駆動モータ３１の出力軸３１ａに取り付けられた駆動ギヤ３３と、駆動ギヤ３３に噛合し且つ回転軸３０ａに取り付けられた従動ギヤ３４と、従動ギヤ３４に噛合し且つ回転軸２９ａに取り付けられた従動ギヤ３５を有する。
【００２０】
この駆動モータ３１は、図５中、駆動ギヤ３３を矢印３６方向に回転駆動するようになっている。そして、この回転は従動ギヤ３４，３５に伝達され、従動ギヤ３４，３５の噛合部側が矢印３７，３８し示したように上方に回転移動するようになっている。これにより、回転清掃体２９，３０は、図１に矢印３９，４０で示したように対向側が上方に回転移動する様になっている。
【００２１】
また、下ケース２４の前側壁２７には、前側塵埃吸込口（エア吸込口）４１が図１に示したように左右に間隔を置いて複数形成されている。この前側塵埃吸込口４１は、図６，図７に示したように側壁外面２７ａの下端部に開口するエア流入端４１ａを有し、側壁内面２７ｂの上下方向の略中央部に開口するエア流出端４１ｂを有する。これにより前側塵埃吸込口４１は、側壁内面２７ｂの上下方向の略中央部から前側下方に向けて傾斜している。
【００２２】
更に、前側壁２７には、前側塵埃吸込口４１のエア流出端４１ｂより下方に位置して、側壁内面２７ｂ及び回転清掃体２９から離反する段差面４２が形成されている。しかも、段差面４２は、エア流出端４１ｂの下端から下方に向けて延びている。即ち、段差面４２は、回転清掃体２９の回転に伴って塵埃掻き上げ部材であるブレード２９ｂ，２９ｃの先端がエア流出端４１ｂに対向し終わる位置から回転清掃体２９の回転方向（即ちブレード２９ｂ，２９ｃの先端の回転移動方向）に沿って延びている。
【００２３】
尚、段差面４２は、他の観点からみると、エア吸込口である前側塵埃吸込口４１に対して回転清掃体２９の回転方向先行側に位置する壁面に形成されている。しかも、段差面４２は、回転清掃体２９の回転方向先行側に延設されると共に回転清掃体２９から離反させられている。
【００２４】
次に、この様な構成の電気掃除機及び吸込口体９の作用を説明する。
【００２５】
電動送風機４を作動させて集塵室２に吸込負圧を作用させると、この吸込負圧が集塵袋３，集塵ホース５，手元操作パイプ６，延長管７，８及び吸込通路１６を介して吸込口体９の吸込室１１に作用する。一方、駆動モータ３１を作動させて、図５中、駆動ギヤ３３を矢印３６方向に回転駆動させる。この回転は従動ギヤ３４，３５に伝達され、従動ギヤ３４，３５の噛合部側が矢印３７，３８し示したように上方に回転移動する。これにより回転清掃体２９，３０は、図１に矢印３９，４０で示したように対向側が上方に回転移動する。
【００２６】
この状態で、手元操作パイプ６の握り部６ａを保持し、吸込口体９を図１の矢印４３で示したように前後に移動操作（図６中左右に移動操作）することにより、回転清掃体２９，３０のブレード２９ｂ，２９ｃ及び３０ｂ，３０ｃが清掃面の塵埃を回転清掃体２９，３０間において上方に掻き上げる。
【００２７】
そして、この掻き上げられる塵埃は、吸込開口２５ａから吸い込まれるエアと共に吸込室２５に作用する吸込負圧で、吸込通路２６ａ，延長管７，８，手元操作パイプ６及び集塵ホース５を介して集塵袋３内に吸い込まれる。そして、エアに含まれる塵埃が集塵袋３に捕集されることになる。
【００２８】
尚、前側塵埃吸込口４１からもエアは吸い込まれる。ここで、回転清掃体２９の回転軸２９ａの回転中心Ｏを通る鉛直線を４４ａ、回転中心Ｏを通る水平線を４４ｂとする。そして、上壁２６と前側壁２７との角部には、線４４ａ〜４４ｂの範囲４５に対応して、回転中心Ｏを中心とする円弧状内壁面４５が形成されている。
【００２９】
上述の様な清掃に際して、吸込開口２５ａの前後方向の中央から回転清掃体２９，３０のブレード２９ｂ，３０ｂで上方に掻き上げられた塵埃のうち、比較的大きく吸込通路２６ａに吸い込まれず、図７に示したようにブレード２９ｂで前側壁２７側に強制的に移動させられるゴミ４６がある。この場合、ゴミ４６は、円弧状内壁面４５に沿って矢印４７の如く下方に移動させられる。尚ブレード２９ｂ，２９ｃは、前側壁２７側では側壁内面２７ｂに沿って下方に回転移動する。
【００３０】
そして、このゴミ４４が前側塵埃吸込口４１のエア排出端４１ｂの下端部内に入いろうとしても、ゴミ４６は前側塵埃吸込口４１に入らずに段差面４２に沿って下方に移動させられる。そして、このゴミ４６は、再度、回転清掃体２９，３０のブレード２９ｂ，２９ｃ及び３０ｂ，３０ｃが清掃面の塵埃を回転清掃体２９，３０間において上方に掻き上げられ、上述と同様にして集塵袋３まで吸い込まれて捕集されることになる。従って、ゴミ４６が前側塵埃吸込口４１から吸込口体９の前側に飛び出してしまうことが未然に防止される。
【００３１】
また、室内の仕切壁と床との角部を清掃する場合に、吸込口体９の前側を仕切壁に押し付けることで、この角部と吸込口体９との間の空間に前側塵埃吸込口４１からの吸込負圧を作用し、この角部に溜まっている塵埃が前側塵埃吸込口４１から吸込室２５内に吸い込まれる。この吸い込まれた塵埃は、回転清掃体２９のブレード２９ｂ，２９ｃで下方に移動させられた後、回転清掃体２９，３０のブレード２９ｂ，２９ｃ及び３０ｂ，３０ｃが清掃面の塵埃を回転清掃体２９，３０間において上方に掻き上げられ、上述と同様にして集塵袋３まで吸い込まれて捕集されることになる。
（変形例１）
図８，図９は、上述した実施例において、下ケース２４の前側壁２７の下端部に後方に向けて延びる突部４８を形成した例を示したものである。この例でも、上述した作用・効果は、突部４８を設けたことにより得られたものではなく、前側塵埃吸込口４１が開口する側壁内面２７ｂから前側へ離れた段差面４２を設けることにより得られたものである。
（変形例２）
また、図１０は、発明の実施の形態１の変形例を示したものである。この変形例は、図６，図７において、更に前側塵埃吸込口４１のエア流出端４１ｂの上端部に下方に向けて僅かに突出する突部４９を設けた構成としたものである。この突部４９は、回転清掃体２９の回転に伴って塵埃掻き上げ部材としてのブレード２９ｂの先端がエア流出端４１ｂに対向し始まる位置から回転清掃体２９の回転方向に僅かに突出している。この突部４９の先端は、少なくとも水平線４４ｂの位置か、又はこの位置より下方に位置させる。これにより、上述の様なゴミ４６が更に前側塵埃吸込口４１から吸込口体９の外側に飛び出すのを確実に防止できる。
【００３２】
ところで、この様なゴミの飛び出しを防止させるには、突部４９の下端を通る線４９ａの位置に前側塵埃吸込口４１の上面を設けて、塵埃吸込口４１の間隔をＡとすることも考えられる。しかし、この場合には、塵埃吸込口４１の間隔を実線で示した間隔Ｂより小さくなり、塵埃吸込口４１で吸い込めるゴミの大きさが小さくなる。
【００３３】
しかし、図８に示したように前側塵埃吸込口４１の間隔Ｂは、大きな塵埃を吸い込み可能にするために間隔Ａより大きく形成されている。しかも、突部４９の下端から前側塵埃吸込口４１のエア流出端４１ｂの下端４１ｂ１までの間隔Ｃは間隔Ｂと同じに設定されている。これにより、前側塵埃吸込口４１は、間隔Ａより大きいゴミでも吸い込むことができる。
【００３４】
尚、突部４９の前側塵埃吸込口４１の面４９ｂは、図９に示したように円弧状に滑らかに形成すると良い。また、この面４９ｂは、図１０に示したように前側塵埃吸込口４１のエア流出端４１ｂの下端４１ｂ１を中心とする半径Ｒ（Ｒ＝Ｂ）としても良い。この場合には、前側塵埃吸込口４１に吸い込まれた塵埃をより滑らかに吸込室２５内に案内できる。この様な構成は、変形例１のものにも適用できる。
【００３５】
尚、突部４９は、別の観点から見ると、エア吸込口である前側塵埃吸込口４１に対して回転清掃体２９の回転方向後方側に位置する壁面に形成されている。しかも、突部４９は、先端が回転清掃体２９の回転方向先行側に向けて前側塵埃吸込口４１内に突出させられている。
（変形例３）
以上説明した実施例は、回転清掃体２９，３０のブレード２９ｂ，２９ｃ及び３０ｂ，３０ｃが回転清掃体２９，３０間の中央部において上方に回転移動するようにした例において、段差面４２を設けた例を示したが、必ずしもこれに限定されるものではない。例えば、図１３（ａ），（ｂ）に示したように、回転清掃体２９，３０が矢印３９′，４０′の如く上述した実施例とは逆に回転して、回転清掃体２９，３０ブレード２９ｂ，２９ｃが前側壁２７及び後側壁２８側では上方に回転移動する。この様な回転をする回転清掃体２９，３０が設けられた吸込口体９では、上述した段差面４２を前側壁２７の下部側に設けずに、図１３（ａ），（ｂ）に示したように前側塵埃吸込口４１のエア流出端４１ｂより上方に位置させて前側壁２７に段差面５０を設けた構成としても良い。
【００３６】
この場合も、段差面５０は、側壁内面２７ｂ及び回転清掃体２９から前側に離反している。しかも、段差面５０は、エア流出端４１ｂの上端から上方に向けて延びている。即ち、段差面５０は、回転清掃体２９の回転に伴って塵埃掻き上げ部材であるブレード２９ｂ，２９ｃの先端がエア流出端４１ｂに対向し終わる位置から回転清掃体２９の回転方向（即ちブレード２９ｂ，２９ｃの先端の回転移動方向）に沿って延びている。
【００３７】
この構成の場合も、ブレード２９ｂ，２９ｃで掻き上げられた塵埃が、前側塵埃吸込口４１から吸い込まれるエア流及びブレード２９ｂ，２９ｃで吸込室２５の上方に案内される。この際、比較的に大きなゴミ５１がブレード２９ｂの回転力により矢印５２で示したように前側塵埃吸込口４１に入ろうとしても、このゴミ５１は段差面５０に案内されて吸込室２５の上方に移動させられる。そして、最終的には、ゴミ５１は、ブレード２９ｂ，２９ｃに係止されて吸込通路２６ａから接続パイプ２２側に吸い込まれ、上述したようにして集塵袋３に捕集されることになる。
【００３８】
尚、段差面５０は、他の観点からみると、エア吸込口である前側塵埃吸込口４１に対して回転清掃体２９の回転方向先行側に位置する壁面に形成されている。しかも、段差面５０は、回転清掃体２９の回転方向先行側に延設されると共に回転清掃体２９から離反させられている。
（変形例４）
図１４，図１５は、変形例３において、下ケース２４の前側壁２７の下端部に後方に向けて延びる突部４８を形成した例を示したものである。この例でも、上述した変形例３の作用・効果は、突部４８を設けたことにより得られたものではなく、前側塵埃吸込口４１が開口する側壁内面２７ｂから前側へ離れた段差面５０を設けることにより得られたものである。
（変形例５）
また、図１６は、変形例３において、更に前側塵埃吸込口４１のエア流出端４１ｂの下端部に上方に向けて僅かに突出する突部５３を設けた構成としたものである。この突部５３は、回転清掃体２９の回転に伴って塵埃掻き上げ部材としてのブレード２９ｂの先端がエア流出端４１ｂに対向し始まる位置から回転清掃体２９の回転方向に僅かに突出している。これにより、上述の様なゴミ５１が更に前側塵埃吸込口４１から吸込口体９の外側に飛び出すのを確実に防止できる。
【００３９】
この場合も、ゴミの飛び出しを防止させるには、突部５３の上端を通る線５４の位置に前側塵埃吸込口４１の下面を設けて、塵埃吸込口４１の間隔をＡとすることも考えられる。しかし、この場合には、塵埃吸込口４１の間隔を実線で示した間隔Ｂより小さくなり、塵埃吸込口４１で吸い込めるゴミの大きさが小さくなる。
【００４０】
しかし、図１６に示したように前側塵埃吸込口４１の間隔Ｂは、大きな塵埃を吸い込み可能にするために間隔Ａより大きく形成されている。しかも、突部５３の下端から前側塵埃吸込口４１のエア流出端４１ｂの上端４１ｂ２までの間隔Ｃは間隔Ｂと同じに設定されている。これにより、前側塵埃吸込口４１は、間隔Ａより大きいゴミでも吸い込むことができる。
【００４１】
尚、突部５３は、別の観点から見ると、エア吸込口である前側塵埃吸込口４１に対して回転清掃体２９の回転方向後方側に位置する壁面に形成されている。しかも、突部５３は、先端が回転清掃体２９の回転方向先行側に向けて前側塵埃吸込口４１内に突出させられている。
（その他）
尚、上述した実施例では、段差面４２，５０や突部４９，５３を前側壁２７に設けた例を示したが、段差面４２，５０や突部４９，５３を後側壁２８に設けることもできる。また、段差面４２，５０や突部４９，５３は、前側塵埃吸込口４１のために設けられているが、必ずしもこれに限定されるものではない。例えば、回転清掃体２９，３０を回転させるエアを駆動手段として導入するためのエア吸込口を設けると共に、このエア吸込口に対応して上述したような段差面４２，５０や突部４９，５３を適用することもできる。
【００４２】
また、駆動モータ３１の出力軸３１ａの回転を回転軸２９ａ，３０ａの一端部に伝達する回転伝達機構３２には歯車回転伝達機構を用いたが、必ずしもこれに限定されるものではない。例えば、回転伝達機構３２には、タイミングプーリとタイミングベルトを用いたベルト回転伝達機構を用いることもできる。
【００４３】
【発明の効果】
以上説明したように、請求項１の発明の吸込口体は、吸込室が設けられ且つ前記吸込室の吸込開口が下面に形成された吸込口本体と、前記吸込室を形成する前側壁に設けられ且つ前記前側壁の側壁内面にエア流出端を開口させたエア吸込口と、左右に延びる回転軸を中心に回転自在に前記吸込室内に保持され且つ前記回転軸に半径方向に突出する塵埃掻き上げ部材が設けられた回転清掃体を備える吸込口体において、前記前側壁には、前記エア流出端に対して前記回転清掃体の回転方向先行側に延設させられていると共に前記側壁内面から前側に離反させられた面が形成されている構成としたので、回転清掃体の塵埃掻き上げ部材で吸込口体のエア吸込口側に強制的に移動させられる塵埃がエア吸込口から吸込口体の外側に飛び出すのを未然に防止できる。
【００４４】
また、請求項２の発明は、請求項１に記載の吸込口体において、前記エア吸込口に対して前記回転清掃体の回転方向後方側に位置する壁面に形成され、且つ、先端を前記回転清掃体の回転方向先行側に向けて前記エア吸込口内に突出させた突部が前記側壁に形成されている構成としたので、回転清掃体の塵埃掻き上げ部材で吸込口体のエア吸込口側に強制的に移動させられる塵埃がエア吸込口から吸込口体の外側に飛び出すのをより確実に防止できる。
【００４５】
更に、請求項３の発明の電気掃除機は、請求項１又は２に記載の吸込口体を有する構成としたので、上述した吸込口体の効果を有する。
【図面の簡単な説明】
【図１】この発明に係る吸込口体及びこれを有する電気掃除機の概略斜視図である。
【図２】図１に示した吸込口体の平面図である。
【図３】図２に示した吸込口体の正面図である。
【図４】図２に示した吸込口体の面図である。
【図５】図４に示した駆動モータの回転を回転清掃体に伝達する動力伝達機構を矢印Ｂ方向からみた説明図である。
【図６】図２のＡ−Ａ線に沿う下ケースの断面図である。
【図７】図６の要部拡大断面図である。
【図８】この発明に変形例を示す図６と同様な断面図である。
【図９】図８の要部拡大断面図である。
【図１０】この発明の他の変形例を示す断面図である。
【図１１】この発明の更に他の変形例を示す断面図である。
【図１２】この発明の更に他の変形例を示す断面図である。
【図１３】（ａ）はこの発明の更に他の変形例を示す断面図、（ｂ）は（ａ）の要部拡大断面図である。
【図１４】この発明の更に他の変形例を示す断面図である。
【図１５】図１４の要部拡大断面図である。
【図１６】（ａ）はこの発明の更に他の変形例を示す断面図、（ｂ）は（ａ）の要部拡大断面図である。
【図１７】電気掃除機の一例を示す斜視図である。
【図１８】図１７の吸込口体の要部断面図である。
【図１９】図１８の要部拡大断面図である。
【符号の説明】
９・・・吸込口体
２１・・・吸込口本体
２５・・・吸込室
２５ａ・・・吸込開口
２７・・・前側壁
２７ｂ・・・側壁内面
２８・・・後側壁
２９ａ・・・回転軸
２９ｂ，２９ｃ・・・ブレード
２９・・・回転清掃体
３１・・・駆動モータ（駆動手段）
４１・・・前側塵埃吸込口（エア吸込口）
４２・・・段差面
４９・・・突部
５０・・・段差面
５３・・・突部
【図１】
0003784261.tif 000002
【図２】
0003784261.tif 000003
【図３】
0003784261.tif 000004
【図４】
0003784261.tif 000005
【図５】
0003784261.tif 000006
【図６】
0003784261.tif 000007
【図７】
0003784261.tif 000008
【図８】
0003784261.tif 000009
【図９】
0003784261.tif 000010
【図１０】
0003784261.tif 000011
【図１１】
0003784261.tif 000012
【図１２】
0003784261.tif 000013
【図１３】
0003784261.tif 000014
【図１４】
0003784261.tif 000015
【図１５】
0003784261.tif 000016
【図１６】
0003784261.tif 000017
【図１７】
0003784261.tif 000018
【図１８】
0003784261.tif 000019
【図１９】
0003784261.tif 000020